【手続補正書】
【提出日】平成22年11月5日(2010.11.5)
【手続補正１】
【補正対象書類名】特許請求の範囲
【補正対象項目名】全文
【補正方法】変更
【補正の内容】
【特許請求の範囲】
【請求項１】
光学的読み取りのための光学素子を搭載したキャリッジを含む読み取り手段を備え、シートスルー方式により画像を読み取る画像読み取り装置において、
連続的に通紙されるシートに対してシェーディング補正を行う際に、前記キャリッジの移動開始時からシェーディングのための読み取り動作の開始タイミングまでにシェーディングのための読み取り動作設定を行う制御手段を備えていることを特徴とする画像読み取り装置。 
【請求項２】
請求項１記載の画像読み取り装置において、
前記シェーディング補正を行う際に、前記キャリッジの動作設定及びシェーディングのための読み取り動作の開始タイミング設定を前記キャリッジの移動開始時より先に実施することを特徴とする画像読み取り装置。
【請求項３】
請求項１記載の画像読み取り装置において、
前記制御手段は、前記キャリッジの動作開始時からシェーディングのための読み取り動作の開始タイミングまでにシェーディング動作設定が終了しなかった場合に異常と検出し、その旨、利用者に通知することを特徴とする画像読み取り装置。 
【請求項４】
請求項１記載の画像読み取り装置において、
前記制御手段は、前記キャリッジの動作開始時からシェーディングのための読み取り動作の開始タイミングまでにシェーディング動作設定が終了しなかった場合に現在実行しているシェーディング動作を省略し、予め設定されたシェーディングパラメータを用いてシェーディング補正を行わせることを特徴とする画像読み取り装置。 
【請求項５】
請求項１記載の画像読み取り装置において、
前記制御手段は、前記キャリッジの動作開始時からシェーディングのための読み取り動作の開始タイミングまでにシェーディング動作設定が終了しなかった場合に現在実行しているシェーディング動作を省略し、前回読み取り動作時のシェーディング補正データを参照してシェーディング補正を行わせることを特徴とする画像読み取り装置。 
【請求項６】
請求項５記載の画像読み取り装置において、
前記前回読み取り動作時のシェーディング補正データを記憶する記憶手段を備えていることを特徴とする画像読み取り装置。 
【請求項７】
請求項１ないし６のいずれか１項に記載の画像読み取り装置を備えていることを特徴とする画像形成装置。
【手続補正２】
【補正対象書類名】明細書
【補正対象項目名】００１０
【補正方法】変更
【補正の内容】
【００１０】
図１１は前記時間ＴＤの詳細を示すタイミングチャートである。同図から分かるようにＤＦシェーディング動作のための準備処理時間Ｔｐは、キャリッジ駆動設定のための準備処理時間Ｔｐ１とシェーディングのための読み取り準備処理時間Ｔｐ２との和、すなわち、
Ｔｐ＝Ｔｐ１＋Ｔｐ２    （３）
となる。また、ＤＦシェーディング動作のための処理時間Ｔｓは、キャリッジ移動開始時からシェーディングのための読み取り動作開始時までの時間Ｔｓ１とシェーディングのための読み取り動作開始時からシェーディング処理終了時までの時間Ｔｓ２の和、すなわち、
Ｔｓ＝Ｔｓ１＋Ｔｓ２    （４）
となる。
【手続補正３】
【補正対象書類名】明細書
【補正対象項目名】００１６
【補正方法】変更
【補正の内容】
【００１６】
前記課題を解決するため、第１の手段は、光学的読み取りのための光学素子を搭載したキャリッジを含む読み取り手段を備え、シートスルー方式により画像を読み取る画像読み取り装置において、連続的に通紙されるシートに対してシェーディング補正を行う際に、前記キャリッジの移動開始時からシェーディングのための読み取り動作の開始タイミングまでにシェーディングのための読み取り動作設定を行う制御手段を備えていることを特徴とする。 
第２の手段は、第１の手段において、前記シェーディング補正を行う際に、前記キャリッジの動作設定及びシェーディングのための読み取り動作の開始タイミング設定を前記キャリッジの移動開始時より先に実施することを特徴とする。
第３の手段は、第１の手段において、前記制御手段は、前記キャリッジの動作開始時からシェーディングのための読み取り動作の開始タイミングまでにシェーディング動作設定が終了しなかった場合に異常と検出し、その旨、利用者に通知することを特徴とする。 
第４の手段は、第１の手段において、前記制御手段は、前記キャリッジの動作開始時からシェーディングのための読み取り動作の開始タイミングまでにシェーディング動作設定が終了しなかった場合に現在実行しているシェーディング動作を省略し、予め設定されたシェーディングパラメータを用いてシェーディング補正を行わせることを特徴とする。 
第５の手段は、第１の手段において、前記制御手段は、前記キャリッジの動作開始時からシェーディングのための読み取り動作の開始タイミングまでにシェーディング動作設定が終了しなかった場合に現在実行しているシェーディング動作を省略し、前回読み取り動作時のシェーディング補正データを参照してシェーディング補正を行わせることを特徴とする。 
第６の手段は、第５の手段において、前記前回読み取り動作時のシェーディング補正データを記憶する記憶手段を備えていることを特徴とする。 
第７の手段は、第１ないし第６の手段に係る画像読み取り装置を画像形成装置が備えていることを特徴とする。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００３２
【補正方法】変更
【補正の内容】
【００３２】
図４は、本実施形態における読み取り前のＤＦシェーディング動作時のタイミングを示
すタイミングチャートである。図４（ａ）は前述の従来例における図１１であり、図４（
ｂ）が本実施形態におけるタイミングを示す。本実施形態においても、前述の従来と同様
に、
Ｔｓ：ＤＦシェーディング動作の処理時間
Ｔｐ：ＤＦシェーディング動作のための準備処理時間
Ｔｓ１：キャリッジ移動開始時からシェーディングのための読み取り動作開始時までの時間
Ｔｓ２：シェーディングのための読み取り動作開始時からシェーディング処理終了時までの時間
Ｔｐ１：シェーディングのための読み取り準備処理時間
Ｔｐ２：キャリッジ駆動設定のための準備処理時間
としたときに前記式（１）、（３）及び（４）が成り立つ。
【手続補正１０】
【補正対象書類名】明細書
【補正対象項目名】００３３
【補正方法】変更
【補正の内容】
【００３３】
ただし、本実施形態では、従来例に対してシェーディングのための読み取り設定を切り出し、先にキャリッジ動作開始指示を与え、キャリッジ動作開始時からシェーディングのための読み取り処理が実施されるまでの期間にシェーディングのための読み取り設定を行い、キャリッジ動作とシェーディングのための読み取り設定を並行して行うようにしている。これにより、シェーディング全体として必要な処理時間を低減させることができる。
【手続補正１１】
【補正対象書類名】明細書
【補正対象項目名】００４３
【補正方法】変更
【補正の内容】
【００４３】
以上のように、本実施形態によれば、以下のような効果を奏する。
１）連続的に通紙されるシートに対してシェーディング補正を行う際に、キャリッジの動作設定（ステップＳ３−Ｔｐ２）及びシェーディングのための読み取り動作の開始タイミング設定（ステップＳ２−Ｔｓ１）のみを先に実施し、前記キャリッジ動作中のシェーディングのための読み取り動作の動作の実施タイミング（ステップＳ６−Ｔｓ２）前にシェーディングのための読み取り動作設定（ステップＳ１’−Ｔｐ１）を行うので、Ｔｐ１に対応する時間だけ並行して動作が行われ、これによりシェーディング処理全体に要する時間の短縮化を図ることができる。
【手続補正１２】
【補正対象書類名】明細書
【補正対象項目名】００４４
【補正方法】変更
【補正の内容】
【００４４】
２）キャリッジの動作開始時からシェーディングのための読み取り動作の開始タイミングまで（Ｔｓ１期間）にシェーディング設定が終了しなかった場合（Ｔｓ１＜Ｔｐ１）に異常と検出し、その旨、利用者に通知するので、前記１）の短縮化を図った際のみ発生し得るエラーに対する対応が可能となる。これにより、動作の信頼性を保証することができる。
【手続補正１３】
【補正対象書類名】明細書
【補正対象項目名】００４５
【補正方法】変更
【補正の内容】
【００４５】
３）キャリッジの動作開始時からシェーディングのための読み取り動作の開始タイミングまで（Ｔｓ１期間）にシェーディング設定が終了しなかった場合（Ｔｓ１＜Ｔｐ１）に異常と検出し、前記１）の短縮化を図った際のみ発生し得るエラーに対し、現在実行しているシェーディング動作を省略し、予め設定されたシェーディングパラメータを用いてシェーディング補正を行わせるので、万一のエラー発生時にも読み取りの生産性を保証することができる。
【手続補正１４】
【補正対象書類名】明細書
【補正対象項目名】００４６
【補正方法】変更
【補正の内容】
【００４６】
４）キャリッジの動作開始時からシェーディングのための読み取り動作の開始タイミングまで（Ｔｓ１期間）にシェーディング設定が終了しなかった場合（Ｔｓ１＜Ｔｐ１）に異常と検出し、前記１）の短縮化を図った際のみ発生し得るエラーに対し、現在実行しているシェーディング動作を省略し、前回読み取り動作時のシェーディング補正データを参照してシェーディング補正を行わせるので、万一のエラー発生時にも読み取りの生産性を保証することができる。